(57)【要約】【課題】圧電アクチュエータの製造時にフレキシブル配線部材が圧電層に接触してしまうのを防止する。【解決手段】圧電アクチュエータを製造するためには、まず、圧電層４２の上面に形成された上部電極４５の接続端子４５ａの表面に導電性バンプ４６を形成し、これとは別の工程で、予め形成されたＣＯＦ５０における基材５１の圧力室１０と対向することなる複数の領域Ａ１に、それぞれ複数の切れ込み５１ａ、５１ｂを形成し、続いて、基材５１の下面の圧電層４２と対向することとなる部分に接着剤層５５を形成する。次に、ＣＯＦ５０と圧電層４２とを位置合わせした状態で、ヒータＨによりＣＯＦ５０を圧電層４２に向かって押圧しながら加熱することにより、基材５１の下面に形成されたランド５２と導電性バンプ４６とを接触させるとともに、接着剤層５５により、ＣＯＦ５０と圧電層４２とを接合する。【選択図】図７
2010082942.tif 000002
【特許請求の範囲】
【請求項１】
複数の活性部を有する圧電層と、
前記圧電層に設けられ、前記複数の活性部に電界を発生させて前記複数の活性部を駆動させるための複数の電極と、
前記圧電層と対向して配置されて、前記複数の電極に接続される複数の配線が形成された、前記圧電層よりも線膨張係数の大きいフレキシブル配線部材とを備えており、
前記圧電層の前記フレキシブル配線部材との対向面には、前記複数の電極にそれぞれ接続された複数の第１接続端子が形成されており、
前記フレキシブル配線部材の前記圧電層との対向面には、前記複数の第１接続端子と対向する部分に、前記複数の配線にそれぞれ接続された複数の第２接続端子が形成されており、
前記複数の第１接続端子と前記複数の第２接続端子とが、それぞれ、バンプを介して接続された圧電アクチュエータユニットの製造方法であって、
前記複数の第１接続端子及び前記複数の第２接続端子のいずれか一方に、前記バンプを形成するバンプ形成工程と、
前記フレキシブル配線部材の前記圧電層と反対側の面における、少なくとも前記圧電層の複数の活性部と対向することとなる領域に切れ込みを形成する切れ込み形成工程と、
前記切れ込み形成工程の後、前記フレキシブル配線部材を前記圧電層と反対側から前記圧電層に向かって押圧しつつ加熱することによって、前記バンプを介して前記複数の第１接続端子と前記複数の第２接続端子とをそれぞれ接続するとともに、前記複数の第１接続端子及び前記複数の第２接続端子と対向する部分において前記圧電層と前記フレキシブル配線部材とを接合する接合工程とを備えていることを特徴とする圧電アクチュエータユニットの製造方法。
【請求項２】
前記接合工程の前に、少なくとも前記複数の第２接続端子が形成された部分を含む前記フレキシブル配線部材の前記圧電層との対向面に、未硬化の熱硬化性接着剤層を形成する接着剤層形成工程をさらに備えており、
前記接合工程において、前記フレキシブル配線部材を前記圧電層と反対側から前記圧電層に向かって押圧することにより、前記バンプに未硬化の熱硬化性接着材層を貫通させ前記第１接続端子と第２接続端子とを接続させつつ、前記圧電層と前記フレキシブル配線部材とを前記熱硬化性接着剤層により接合することを特徴とする請求項１に記載の圧電アクチュエータユニットの製造方法。
【請求項３】
前記切れ込み形成工程において、前記フレキシブル配線部材の前記複数の活性部にそれぞれ対向することとなる互いに連続しない複数の領域に、前記切れ込みを形成することを特徴とする請求項１又は２に記載の圧電アクチュエータユニットの製造方法。
【請求項４】
前記切れ込み形成工程において、前記フレキシブル配線部材の前記圧電層との対向面と直交する方向から見て、そのコーナー部に近い部分のほど細かい切れ込みを形成することを特徴とする請求項１〜３のいずれかに記載の圧電アクチュエータユニットの製造方法。
【請求項５】
前記圧電アクチュエータユニットが、前記圧電層の前記フレキシブル配線部材と反対側の面に接合された振動板をさらに備えたものであることを特徴とする請求項１〜４のいずれかに記載の圧電アクチュエータユニットの製造方法。
【請求項６】
圧力室を含む液体を移送するための液体移送流路が形成された流路ユニットと、
前記圧力室内の液体に圧力を付与する複数の活性部を有する圧電層と、
前記圧電層に設けられ、前記複数の活性部に電界を発生させて前記複数の活性部を駆動させるための複数の電極と、
前記圧電層と対向するように配置されており、前記複数の電極に接続される複数の配線が形成された、前記圧電層よりも線膨張係数の大きいフレキシブル配線部材とを備えており、
前記圧電層の前記フレキシブル配線部材との対向面には、前記複数の電極にそれぞれ接続された複数の第１接続端子が形成されており、
前記フレキシブル配線部材の前記圧電層との対向面には、前記複数の第１接続端子と対向する部分に、前記複数の配線にそれぞれ接続された複数の第２接続端子が形成されており、
前記複数の第１接続端子と前記複数の第２接続端子とが、それぞれ、バンプを介して接続された液体移送装置の製造方法であって、
前記複数の第１接続端子及び前記複数の第２接続端子のいずれか一方に、前記バンプを形成するバンプ形成工程と、
前記フレキシブル配線部材の前記圧電層と反対側の面における、少なくとも前記圧電層の複数の活性部と対向することとなる領域に切れ込みを形成する切れ込み形成工程と、
前記切れ込み形成工程の後、前記フレキシブル配線部材を前記圧電層と反対側から前記圧電層に向かって押圧しつつ加熱することによって、前記バンプを介して前記複数の第１接続端子と前記複数の第２接続端子とをそれぞれ接続するとともに、前記複数の第１接続端子及び前記複数の第２接続端子と対向する部分において前記圧電層と前記フレキシブル配線部材とを接合する接合工程とを備えていることを特徴とする液体移送装置の製造方法。
【請求項７】
複数の活性部を有する圧電層と、
前記圧電層に設けられ、前記複数の活性部に電界を発生させて前記複数の活性部を駆動させるための複数の電極と、
前記圧電層と対向するように配置されており、前記複数の電極に接続される複数の配線が形成された、前記圧電層よりも線膨張係数の大きいフレキシブル配線部材とを備えており、
前記圧電層の前記フレキシブル配線部材との対向面には、前記複数の電極にそれぞれ接続された複数の第１接続端子が形成されており、
前記フレキシブル配線部材の前記圧電層との対向面には、前記複数の第１接続端子と対向する部分に、前記複数の配線にそれぞれ接続された複数の第２接続端子が形成されており、
前記複数の第１接続端子と前記複数の第２接続端子とが、それぞれ、バンプを介して接続されており、
前記フレキシブル配線部材の前記圧電層と反対側の面における、少なくとも前記複数の活性部と対向する領域に切れ込みが形成されていることを特徴とする圧電アクチュエータユニット。
【請求項８】
圧力室を含む液体を移送するための液体移送流路が形成された流路ユニットと、
前記圧力室内の液体に圧力を付与する複数の活性部を有する圧電層と、
前記圧電層に設けられ、前記複数の活性部に電界を発生させて前記複数の活性部を駆動させるための複数の電極と、
前記圧電層と対向するように配置されており、前記複数の電極に接続される複数の配線が形成された、前記圧電層よりも線膨張係数の大きいフレキシブル配線部材とを備えており、
前記圧電層の前記フレキシブル配線部材との対向面には、前記複数の電極にそれぞれ接続された複数の第１接続端子が形成されており、
前記フレキシブル配線部材の前記圧電層との対向面には、前記複数の第１接続端子と対向する部分に、前記複数の配線にそれぞれ接続された複数の第２接続端子が形成されており、
前記複数の第１接続端子と前記複数の第２接続端子とが、それぞれ、バンプを介して接続されており、
前記フレキシブル配線部材の前記圧電層と反対側の面における、少なくとも前記複数の活性部と対向する領域に切れ込みが形成されていることを特徴とする液体移送装置。
【発明の詳細な説明】
【技術分野】
【０００１】
本発明は、圧電層の表面と対向するように配線部材が配置された圧電アクチュエータユニットの製造方法及び液体移送装置の製造方法、並びに、圧電層の表面と対向するように配線部材が配置された圧電アクチュエータユニット及び液体移送装置に関する。
【背景技術】
【０００２】
特許文献１には、圧電アクチュエータにより圧力室内のインクに圧力を付与することによってノズルからインク滴を吐出する記録ヘッドを製造する際に、最も上方に配置された圧電シート（圧電層）の上面に配置された個別電極のランド部の表面にバンプを形成するとともに、端子部や配線が形成されたＦＰＣ（Flexible Printed Circuit）（フレキシブル配線部材）の下面に未硬化の熱硬化性の合成樹脂層を形成し、ＦＰＣを圧電シートに向かって押圧するとともに加熱することにより、バンプが合成樹脂層を貫通して端子部に接触した状態で、圧電シートとＦＰＣとを接合することが記載されている。
【０００３】
【特許文献１】特開２００５−３５８４７号公報
【発明の開示】
【発明が解決しようとする課題】
【０００４】
一般にＦＰＣはポリイミドなどの基材の表面に導電層が形成され、さらにその導電層を覆う絶縁性のレジスト材が形成されてなり、基材の熱膨張係数は、圧電シートよりも線膨張係数が大きいため、特許文献１に記載されているように、ＦＰＣを圧電シートに向かって押圧するとともに加熱すると、ＦＰＣは膨張しＦＰＣと圧電シートとの線膨張係数の違いにより、ＦＰＣは圧電シート側、あるいは圧電シートと反対側に撓むこととなってしまう。バーヒータなどでＦＰＣの表面を押圧して加熱する場合、上側からの押圧力によりＦＰＣは圧電シート側に撓みやすい。そして、ＦＰＣが圧電シート側に撓んで、圧電シートの表面に接触してしまうと、圧電層に汚れや傷が生じてしまう虞がある。特にＦＰＣが圧電層の圧力室と対向する部分（活性部）に接触した場合には、圧電アクチュエータを駆動させたときの、圧電シートの変形を阻害し、その結果、ノズルからのインクの吐出特性に影響を生じさせてしまう虞がある。特に、特許文献１に記載されているような、最も上方に配置された圧電シートに電界を発生させて、当該圧電シート水平方向に収縮させることにより、当該圧電シート及び当該圧電シートの下面に接合された、振動板として動作する圧電シートをその厚み方向に変形させる、いわゆるユニモルフ変形を用いた圧電アクチュエータにおいては、活性部が圧電シート表面に近いためＦＰＣが圧電シートに接触したときの、圧電シートの変形量の変動は大きなものとなる。
【０００５】
本発明の目的は、フレキシブル配線部材が圧電層に接触してしまうのを防止することが可能な圧電アクチュエータユニット及びその製造方法、並びに、フレキシブル配線部材が圧電層に接触してしまうのを防止することが可能な液体移送装置及びその製造方法を提供することである。
【課題を解決するための手段】
【０００６】
第１の発明に係る圧電アクチュエータユニットの製造方法は、複数の活性部を有する圧電層と、前記圧電層に設けられ、前記複数の活性部に電界を発生させて前記複数の活性部を駆動させるための複数の電極と、前記圧電層と対向するように配置されており、前記複数の電極に接続される複数の配線が形成された、前記圧電層よりも線膨張係数の大きいフレキシブル配線部材とを備えており、前記圧電層の前記フレキシブル配線部材との対向面には、前記複数の電極にそれぞれ接続された複数の第１接続端子が形成されており、前記フレキシブル配線部材の前記圧電層との対向面には、前記複数の第１接続端子と対向する部分に、前記複数の配線にそれぞれ接続された複数の第２接続端子が形成されており、前記複数の第１接続端子と前記複数の第２接続端子とが、それぞれ、バンプを介して接続された圧電アクチュエータユニットの製造方法であって、前記複数の第１接続端子及び前記複数の第２接続端子のいずれか一方に、前記バンプを形成するバンプ形成工程と、前記フレキシブル配線部材の前記圧電層と反対側の面における、少なくとも前記圧電層の複数の活性部と対向することとなる領域に切れ込みを形成する切れ込み形成工程と、前記切れ込み形成工程の後、前記フレキシブル配線部材を前記圧電層と反対側から前記圧電層に向かって押圧しつつ加熱することによって、前記バンプを介して前記複数の第１接続端子と前記複数の第２接続端子とをそれぞれ接続するとともに、前記複数の第１接続端子及び前記複数の第２接続端子と対向する部分において前記圧電層と前記フレキシブル配線部材とを接合する接合工程とを備えていることを特徴とするものである。
【０００７】
フレキシブル配線部材を圧電層に向かって押圧しながら加熱することで、バンプを介して第１接続端子と第２接続端子とを接続するとともに、フレキシブル配線部材と圧電層とを接合する場合、圧電層とフレキシブル配線部材との線膨張係数の差によってフレキシブル配線部材が圧電層側に変形して、その結果、フレキシブル配線部材が圧電層に接触してしまう虞がある。
【０００８】
しかしながら、本発明では、フレキシブル配線部材の圧電層と反対側の面の少なくとも活性部と対向する領域に切れ込みが形成されているため、フレキシブル配線部材の切れ込みが形成された圧電層と反対側部分はその周囲の部分によりその変形が拘束されにくく、フレキシブル配線部材は、圧電層側と反対側の部分が圧電層側の部分よりも自由に変形することができるようになっている。このため、フレキシブル配線部材は、圧電層と反対側の部分が圧電層側の部分よりも大きく膨張することとなり、その結果、フレキシブル配線部材は、圧電層側には変形しにくい。したがって、フレキシブル配線部材が圧電層の活性部に接触してしまうのが防止され、圧電層の活性部の変形が阻害されてしまうのを防止することができる。
【０００９】
第２の発明に係る圧電アクチュエータユニットの製造方法は、第１の発明に係る圧電アクチュエータユニットの製造方法であって、前記接合工程の前に、少なくとも前記複数の第２接続端子が形成された部分を含む前記フレキシブル配線部材の前記圧電層との対向面に、未硬化の熱硬化性接着剤層を形成する接着剤層形成工程をさらに備えており、前記接合工程において、前記フレキシブル配線部材を前記圧電層と反対側から前記圧電層に向かって押圧することにより、前記バンプに未硬化の熱硬化性接着材層を貫通させ前記第１接続端子と第２接続端子とを接続させつつ、前記圧電層と前記フレキシブル配線部材とを前記熱硬化性接着剤層により接合することを特徴とするものである。
【００１０】
フレキシブル配線部材の圧電層側の面に未硬化の熱硬化性の接着剤層を形成してから、フレキシブル配線部材を圧電層に向かって押圧しながら加熱することによりフレキシブル配線部材と圧電層とを接合する場合、フレキシブル配線部材が膨張して圧電層側に撓んで圧電層に接触してしまうと、フレキシブル配線部材の圧電層側の面に形成されていた接着剤層が圧電層に接触してしまう虞がある。そして、フレキシブル配線部材は、第１接続工程の後、ヒータを離すと、膨張した状態から収縮して元に戻ろうとするが、接着剤層が圧電層に接触していると、接着剤層が硬化して、フレキシブル配線部材が圧電層に接触した状態のまま元に戻らなかったり、元に戻った場合でも圧電層に接着剤層が残留したまま硬化したりしてしまう虞がある。そして、その結果、圧電層に付着した接着剤層又は圧電層に接合されたフレキシブル配線部材により、圧電層に汚れや傷が生じてしまう虞があるとともに、圧電層の変形が阻害されて圧電アクチュエータユニットの駆動が阻害されてしまう虞がある。
【００１１】
しかしながら、本発明では、フレキシブル配線部材は、切れ込みが形成されていることにより圧電層側に変形しにくいため、未硬化の熱硬化性接着剤層によりフレキシブル配線部材が圧電層に接触し、その後、ヒータを離したときに接着剤層によりフレキシブル配線部材が圧電層に接合されて変形が元に戻らなかったり、圧電層に接着剤層が残留したりするのを防止することができる。
【００１２】
第３の発明に係る圧電アクチュエータユニットの製造方法は、第１又は第２の発明に係る圧電アクチュエータユニットの製造方法であって、前記切れ込み形成工程において、前記フレキシブル配線部材の前記複数の活性部にそれぞれ対向することとなる互いに連続しない個別の領域に、前記切れ込みを形成することを特徴とするものである。
【００１３】
これによると、フレキシブル配線部材の複数の活性部にそれぞれ対向することとなる互いに連続しない個別の領域に切れ込みを形成することにより、これらの領域にまたがった１つの領域に連続的に複数の切れ込みを形成する場合と比較して、フレキシブル配線部材の圧電層側の部分と圧電層と反対側の部分との膨張量の差によるフレキシブル配線部材の歪みを抑えることができるとともに、圧電層とフレキシブル配線部材とを接合したときに、フレキシブル配線部材の各活性部と対向する部分は確実に圧電層側に変形しにくくなる。
【００１４】
第４の発明に係る圧電アクチュエータユニットの製造方法は、第１〜第３のいずれかの発明に係る圧電アクチュエータユニットの製造方法であって、前記切れ込み形成工程において、前記フレキシブル配線部材の前記圧電層との対向面と直交する方向から見て、そのコーナー部に近い部分のほど細かい切れ込みを形成することを特徴とするものである。
【００１５】
これによると、フレキシブル配線部材はコーナー部に近い部分ほど膨張しやすいが、フレキシブル配線部材の平面視で膨張しやすいコーナー部に近い部分ほど細かい切れ込みを形成することにより、フレキシブル配線部材の圧電層側への変形を確実に防止することができる。
【００１６】
第５の発明に係る圧電アクチュエータユニットの製造方法は、第１〜第４のいずれかの発明に係る圧電アクチュエータユニットの製造方法であって、前記圧電アクチュエータユニットが、前記圧電層の前記フレキシブル配線部材と反対側の面に接合された振動板をさらに備えたものであることを特徴とするものである。
【００１７】
圧電アクチュエータユニットが、活性部に電界を発生させて圧電層をその面方向に変形させることにより圧電層及び振動板を全体としてその厚み方向に変形させる（いわゆるユニモルフ変形する）圧電アクチュエータユニットである場合、フレキシブル配線部材が活性部に接触してしまうと、圧電アクチュエータユニットの駆動が特に阻害されやすい。
【００１８】
しかしながら、本発明では、フレキシブル配線部材が活性部に接触しにくいため、圧電アクチュエータユニットの駆動を阻害するのを防止することができる。
【００１９】
第６の発明に係る液体移送装置の製造方法は、圧力室を含む液体を移送するための液体移送流路が形成された流路ユニットと、前記圧力室内の液体に圧力を付与する複数の活性部を有する圧電層と、前記圧電層に設けられ、前記複数の活性部に電界を発生させて前記複数の活性部を駆動させるための複数の電極と、前記圧電層と対向するように配置されており、前記複数の電極に接続される複数の配線が形成された、前記圧電層よりも線膨張係数の大きいフレキシブル配線部材とを備えており、前記圧電層の前記フレキシブル配線部材との対向面には、前記複数の電極にそれぞれ接続された複数の第１接続端子が形成されており、前記フレキシブル配線部材の前記圧電層との対向面には、前記複数の第１接続端子と対向する部分に、前記複数の配線にそれぞれ接続された複数の第２接続端子が形成されており、前記複数の第１接続端子と前記複数の第２接続端子とが、それぞれ、バンプを介して接続された液体移送装置の製造方法であって、前記複数の第１接続端子及び前記複数の第２接続端子のいずれか一方に、前記バンプを形成するバンプ形成工程と、前記フレキシブル配線部材の前記圧電層と反対側の面における、少なくとも前記圧電層の複数の活性部と対向することとなる領域に切れ込みを形成する切れ込み形成工程と、前記切れ込み形成工程の後、前記フレキシブル配線部材を前記圧電層と反対側から前記圧電層に向かって押圧しつつ加熱することによって、前記バンプを介して前記複数の第１接続端子と前記複数の第２接続端子とをそれぞれ接続するとともに、前記複数の第１接続端子及び前記複数の第２接続端子と対向する部分において前記圧電層と前記フレキシブル配線部材とを接合する接合工程とを備えていることを特徴とするものである。
【００２０】
第７の発明に係る圧電アクチュエータユニットは、複数の活性部を有する圧電層と、前記圧電層に設けられ、前記複数の活性部に電界を発生させて前記複数の活性部を駆動させるための複数の電極と、前記圧電層と対向するように配置されており、前記複数の電極に接続される複数の配線が形成された、前記圧電層よりも線膨張係数の大きいフレキシブル配線部材とを備えており、前記圧電層の前記フレキシブル配線部材との対向面には、前記複数の電極にそれぞれ接続された複数の第１接続端子が形成されており、前記フレキシブル配線部材の前記圧電層との対向面には、前記複数の第１接続端子と対向する部分に、前記複数の配線にそれぞれ接続された複数の第２接続端子が形成されており、前記複数の第１接続端子と前記複数の第２接続端子とが、それぞれ、バンプを介して接続されており、前記フレキシブル配線部材の前記圧電層と反対側の面における、少なくとも前記複数の活性部と対向する領域に切れ込みが形成されていることを特徴とするものである。
【００２１】
第８の発明に係る液体移送装置は、圧力室を含む液体を移送するための液体移送流路が形成された流路ユニットと、前記圧力室内の液体に圧力を付与する複数の活性部を有する圧電層と、前記圧電層に設けられ、前記複数の活性部に電界を発生させて前記複数の活性部を駆動させるための複数の電極と、前記圧電層と対向するように配置されており、前記複数の電極に接続される複数の配線が形成された、前記圧電層よりも線膨張係数の大きいフレキシブル配線部材とを備えており、前記圧電層の前記フレキシブル配線部材との対向面には、前記複数の電極にそれぞれ接続された複数の第１接続端子が形成されており、前記フレキシブル配線部材の前記圧電層との対向面には、前記複数の第１接続端子と対向する部分に、前記複数の配線にそれぞれ接続された複数の第２接続端子が形成されており、前記複数の第１接続端子と前記複数の第２接続端子とが、それぞれ、バンプを介して接続されており、前記フレキシブル配線部材の前記圧電層と反対側の面における、少なくとも前記複数の活性部と対向する領域に切れ込みが形成されていることを特徴とするものである。
【発明の効果】
【００２２】
本発明によれば、フレキシブル配線部材の圧電層と反対側の面の少なくとも活性部と対向する領域に切れ込みが形成されているため、フレキシブル配線部材の切れ込みが形成された圧電層と反対側部分はその周囲の部分によりその変形が拘束されにくく、フレキシブル配線部材は、圧電層側と反対側の部分が圧電層側の部分よりも自由に変形することができるようになっている。このため、フレキシブル配線部材は、圧電層と反対側の部分が圧電層側の部分よりも大きく膨張することとなり、その結果、フレキシブル配線部材は、圧電層側には変形しにくい。したがって、フレキシブル配線部材が圧電層の活性部に接触してしまうのが防止され、圧電層の活性部の変形が阻害されてしまうのを防止することができる。
【発明を実施するための最良の形態】
【００２３】
以下、本発明の好適な実施の形態について説明する。
【００２４】
図１は、本実施の形態に係る圧電アクチュエータを有する液体移送装置としてのプリンタ１の概略構成図である。このプリンタ１は、単独のプリンタ装置に適用しても、あるいは、ファクシミリ機能やコピー機能等の複数の機能を備えた多機能装置のプリンタ装置に適用してもよい。図１に示すように、プリンタ１は、装置本体内にキャリッジ２、インクジェットヘッド３（液体移送装置）、用紙搬送ローラ４、ガイド軸５、プラテン６などを備えている。なお、以下の説明ではノズルから液体を吐出する方向を下方向とし、その反対方向を上方向としている。また、必要に応じて図中の方向を定める場合は、適宜説明を付与する。
【００２５】
キャリッジ２は、その上面が開口された略箱状の樹脂製のケースで、図１の左右方向（走査方向）に延びるガイド軸５に移動可能に載置され、図示しない駆動ユニットによって走査方向（左右方向）に往復移動するように構成されている。装置本体内には、複数種類のインク（例えば、ブラック、イエロー、シアン、マゼンタの４種類）を供給するための交換式のインクカートリッジ（図示せず）が静置されていて、各インクカートリッジはインクチューブ（図示せず）を介してキャリッジ２内に載置されたインクジェットヘッド３に接続されている。また、キャリッジ２の下方に対向して、用紙搬送ローラ４とプラテン６が配置されていて、その両者の間に記録用紙Ｐが図１の手前方向（紙送り方向）に搬送される。インクジェットヘッド３は、キャリッジ２の下面に配置されており、複数のノズルをキャリッジ２のした面に露出開口させて搭載している。
【００２６】
そして、プリンタ１においては、用紙搬送ローラ４により紙送り方向に搬送される記録用紙Ｐに、キャリッジ２とともに走査方向に往復移動するインクジェットヘッド３からインクを吐出することにより、記録用紙Ｐに印刷を行う。
【００２７】
次に、インクジェットヘッド３について説明する。図２は図１のインクジェットヘッド３の構成を示す斜視図である。図３はインクジェットヘッド３の平面図である。図４（ａ）は図３の部分拡大図である。図４（ｂ）〜（ｄ）は、図４（ａ）における後述する振動板４０及び各圧電層４１、４２の上面をそれぞれ示す図である。図５は図４（ａ）のＶ−Ｖ線断面図である。図６は図４（ａ）のＶＩ−ＶＩ線断面図である。
【００２８】
なお、図面を分かりやすくするため、図２においては、後述するランド５２と配線５３とを透過した状態で図示している。また、図３、図４においては、後述する流路ユニット３１のインク流路の一部の図示を省略している。また、図３においては、後述する複数の領域Ａ１のうちの１つにハッチングを付しているとともに、圧電アクチュエータ３２の下部電極４３及び中間電極４４の図示を省略している。さらに、図４においては、後述するＣＯＦ５０の図示を省略するとともに、図４（ａ）においては、ともに点線で図示すべき下部電極４３及び中間電極４４を、それぞれ二点鎖線及び一点鎖線で図示し、図４（ｂ）〜（ｄ）においては、圧力室１０と後述する下部電極４３、中間電極４４及び上部電極４５との平面視での位置関係を示していて、各電極４３、４４、４５にハッチングを付している。
【００２９】
図２〜図６に示すように、インクジェットヘッド３は、複数のノズル１５や複数の圧力室１０等の複数のインク流路が形成された流路ユニット３１と流路ユニット３１の上面に配置され、圧力室１０内に充満されたインクにノズル１５からの吐出のための圧力を付与する圧電アクチュエータユニット３３とを備えている。圧電アクチュエータユニット３３は、圧電アクチュエータ３２とその上面に電気的かつ機械的に接続されたＣＯＦ５０（Chip  On  Film）（配線部材）とからなる。流路ユニット３１は、略矩形状の、インク流路となる複数の貫通孔が形成された複数のプレート２１〜２４が互いに積層されることによって、インク供給口９からインクが供給されるマニホールド流路１１、及び、マニホールド流路１１の出口から流路１２を経て圧力室１０に至り、さらに、圧力室１０から流路１３、１４を経てノズル１５に至る複数の個別インク流路を有するインク流路（液体移送流路）が形成されている。そして、後述するように、圧電アクチュエータ３２により、圧力室１０内のインクに圧力が付与されると、圧力室１０に連通するノズル１５からインクが吐出される。ノズルプレート２４を除く３枚のプレート２１〜２４はステンレス板やニッケル合金鋼板などの金属材料により構成されており、ノズルプレート２４はポリイミド等の合成樹脂材料によって構成されている。
【００３０】
流路ユニット３１の最上層のプレート２１には、複数のノズル１５に対応して複数の圧力室１０が板厚を貫通して形成され、圧力室１０は、走査方向を長手方向とする略楕円形の平面形状（図４も参照）を有し、その一端を流路１２と、他端がノズル１５と連通するように形成されており、複数の圧力室１０は紙送り方向に沿って配列されて１つの圧力室列８を構成しており、このような圧力室列８が、走査方向に２列に配列されることによって１つの圧力室群７を構成している。さらに、このような圧力室群７が走査方向に沿って５つ配列されている。ここで、１つの圧力室群７に含まれる２列の圧力室列８を構成する圧力室１０同士は、紙送り方向に関して互いにずれて配置されている。また、流路ユニット３１の最下層のノズルプレート２４には、複数の圧力室１０の長手方向の一端と連通する複数のノズル１５が下方に開口して貫通形成されていて、図示しないが、複数の圧力室１０と同様に送り方向に配列しているとともに、ノズル列群をなし、走査方向に５つのノズル列群をなしている。
【００３１】
そして、５つの圧力室群７のうち、図１の右側の２つを構成する圧力室１０に対応するノズル１５からは使用頻度の高いブラックのインクが吐出され、図１の左側の３つを構成する圧力室群７の圧力室１０に対応するノズル１５からは、図１の右側に配列されているものから順に、イエロー、シアン、マゼンタのインクが吐出される。また、プレート２２には、平面視で圧力室１０の長手方向の両端部に重なる位置にそれぞれ流路１２、１３となる貫通孔が形成され、プレート２３には、マニホールド流路１１となる貫通孔が圧力室１０の列に対応して紙送り方向に延び、平面視で圧力室１０の長手方向と重なるとともにインク供給口９と連通する位置まで延設されている。
【００３２】
次に、圧電アクチュエータ３２は略矩形状であり、振動板４０、圧電層４１、４２、下部電極４３、中間電極４４、上部電極４５を備えている。振動板４０は、チタン酸鉛とジルコン酸鉛との混晶であるチタン酸ジルコン酸鉛を主成分とする圧電材料からなり、複数の圧力室１０を覆うように、流路ユニット３１の上面に配置されている。また、振動板４０の厚みは２０μｍ程度となっている。なお、この振動板４０は必ずしも圧電材料からなる必要はない。圧電層４１、４２は、振動板４０と同様の圧電材料からなり、互いに積層されて振動板４０の上面に配置されている。また圧電層４１、４２の厚みは、それぞれ２０μｍ程度となっている。
【００３３】
下部電極４３は、振動板４０と圧電層４１との間に配置されており、図４（ｂ）のように各圧力室群７に対応して、各圧力室群７を構成する２列の圧力室列８に沿って紙送り方向に延びており、これら２列の圧力室列８を構成する複数の圧力室１０と平面視で重なり合うように対向している。また、図示しないが、各圧力室群７に対応して上記紙送り方向に延びた部分同士は互いに接続され、図示しない接続端子が設けられている。接続端子は、ＣＯＦ５０上の図示しない配線のランドと接続され、配線を介して下部電極４３は、常にグランド電位に保持されている。
【００３４】
中間電極４４は、圧電層４１と圧電層４２との間に配置されており、図４（ｃ）のように各圧力室群７毎に、それぞれ、複数の対向部４４ａ及び接続部４４ｂ、４４ｃを有している。複数の対向部４４ａは、紙送り方向に関する長さが圧力室１０よりも短い略矩形の平面形状を有しており、複数の圧力室１０の紙送り方向に関する略中央部と対向するように配置されている。
【００３５】
接続部４４ｂは、紙送り方向に延びて、各圧力室群７を構成する２列の圧力室列８のうち、図４の右側に配置された圧力室列８を構成する複数の圧力室１０に対応する複数の対向部４４ａの図４右側の端同士を接続している。接続部４４ｃは、紙送り方向に延びて、各圧力室群７を構成する２列の圧力室列８のうち、図４の左側に配置された圧力室列８を構成する複数の圧力室１０に対応する複数の対向部４４ａの図４左側の端同士を接続している。また、中間電極４４は、図示しない接続端子と、ＣＯＦ５０上の配線に接続されており、配線を介して常に所定の正の電位（例えば、２０Ｖ程度）に保持されている。
【００３６】
複数の上部電極４５は、図３、図４（ｄ）のように圧電層４２の上面に、複数の圧力室１０に対応して、複数の圧力室１０のほぼ全域と対向するように配置されており、紙送り方向に配列しているとともに、上部電極列群をなし、走査方向１つの上部電極列群に含まれる２列の上部電極４５の列を構成する上部電極４５同士は、紙送り方向に関して互いにずれて配置されている。また、上部電極４５は、紙送り方向に関する長さが中間電極４４の対向部４４ａよりも長い、略矩形の平面形状を有している。また、上部電極４５は、走査方向に関するノズル１５と反対側の端における一部分が、走査方向に圧力室１０と対向しない部分まで延びており、この部分がＣＯＦ５０の配線５３のランド５２に接続される接続端子４５ａ（第１接続端子）となっている。接続端子４５ａは、Ａｇ−Ｐｄ系の材料からなる。さらに接続端子４５ａの表面には、金属などの導電性材料（本実施形態ではＡｇペースト）からなり、接続端子４５ａの表面から上方に突出した導電性バンプ４６が形成されている。また、上部電極４５は、後述するように、導電性バンプ４６を介してＣＯＦ５０上の配線５３と接続され、ＣＯＦ５０に実装されたドライバＩＣ５４に接続されており、グランド電位と上記所定の電位（例えば、２０Ｖ）との間でその電位が切り替えられる。なお、前述した中間電極４４と下部電極４３の図示しない接続端子も上部電極４３と同様に導電性バンプを介して配線と電気的に接続されている。
【００３７】
また、前述した圧電層４２は、予め上部電極４５と中間電極４４とに挟まれた部分が上向きに分極されており、圧電層４１、４２は、上部電極４５と下部電極４３とに挟まれた部分が、上部電極４５から下部電極４３に向かって下向きに分極されている。なお、圧電層４１のうち、中間電極４４と下部電極４３とに挟まれた部分は、中間電極４４から下部電極４３に向かって下向きに分極されている。
【００３８】
次に、圧電アクチュエータ３２に電位を付与するＣＯＦ５０（フレキシブル配線部材）は、基材５１、複数のランド５２、複数の配線５３、５３ｚ及びドライバＩＣ５４を有している。ＣＯＦ５０は、圧電アクチュエータ３２の上方に配置されて接続されており、走査方向に引き出されている。
【００３９】
基材５１はポリイミドなどの樹脂材からなり絶縁性および可撓性を有した帯状で、圧電材料よりも線膨張係数の大きい。配線５３、５３ｚは、銅などの導電性材料で基材５１上に印刷などで形成され、基材５１は、配線５３が形成された面が圧電層４２と対向して圧電アクチュエータ３２上に配置されている。ドライバＩＣ５４は、圧電アクチュエータ３２に印加する駆動信号を供給するための駆動回路を内蔵していて、ＣＯＦ５０の引き出された部分の上面に配置されている。ドライバＩＣ５４には、本体側プリンタからの駆動電圧が入力される入力用の配線５３ｚと、ドライバＩＣ５４から各電極４３に駆動電圧が出力される出力用の配線５３が接続されている。
【００４０】
ランド５２（第２接続端子）は、基材５１の圧電層４２との対向面（下面）の平面視で導電性バンプ４６と重なる部分に配置され、圧電アクチュエータ３２とＣＯＦ５０との接続時に導電性バンプ４６と接触する電気的接続点となる。また、ランド５２は、ドライバＩＣ５４から延在する複数の配線５３の端部に設けられていてドライバＩＣ５４と接続されている。なお、図示しないが、ＣＯＦ５０には、中間電極４４および下部電極４５に接続される配線およびランドがドライバＩＣ５４を介さずに配線されている。なお、基材５１の圧電層４２と反対側の上面に形成されたドライバＩＣ５４と、基材５１の下面に形成された配線５３とは、基材５１に形成された図示しないスルーホールなどを介して接続されている。
【００４１】
また、基材５１には、配線５３が形成されていない側の上面において複数の領域Ａ１に、それぞれ、複数の切れ込み５１ａ、５１ｂが形成されている。ここで、複数の領域Ａ１は、各圧力室群７における、互いに紙送り方向にずれた状態で走査方向に隣接する２つの圧力室１０にそれぞれ対向するように設けられた領域（複数の活性部とそれぞれ対向する個別の領域、少なくとも活性部と対向する領域）である。つまり、帯状に延びるＣＯＦ５０のうち、圧電アクチュエータ３２と対向して配置される略矩形状の領域Ｂに複数の領域Ａ１が含まれる。複数の切れ込み５１ａは、それぞれ、紙送り方向に延びているとともに走査方向に配列されており、図５の断面で見てＶ字状となっている。複数の切れ込み５１ｂは、それぞれ、走査方向に延びているとともに紙送り方向に配列されており、図６の断面で見てＶ字状となっている。すなわち、複数の切れ込み５１ａと複数の切れ込み５１ｂとは互いに直交しており、格子状に配置されている。
【００４２】
これにより、基材５１は、複数の切れ込み５１ａ、５１ｂが形成された部分において、その上面側の部分が基材５１の隣接する部分に拘束されておらず、その下面側の部分と比較して自由に変形できるようになっている。
【００４３】
ここで、複数の領域Ａ１は、ＣＯＦ５０の圧電アクチュエータ３２と対向する略矩形状の領域Ｂのうち、基材５１のコーナー部に近い位置にある領域Ａ１ほど細かい切れ込み５１ａ、５１ｂが形成されている。具体的には、基材５１の圧電アクチュエータ３２と対向する略矩形状の領域Ｂの４隅のコーナー部に最も近い図３における左側の圧力室群７の上下両端および右側の圧力室群７の上下両端部に位置する複数の領域Ａ１には、他の領域Ａ１よりも細かい切れ込み５１ａ、５１ｂが形成されている。あるいは、上記略矩形状の領域Ｂのうち、４辺の外周に沿った枠状の領域内に位置する領域Ａ１には、他の領域Ａ１よりも細かい切れ込みが５１ａ、５１ｂ形成され、さらに、当該枠状の領域のうち、領域Ｂの４隅のコーナー部に位置する領域Ａ１に最も細かく切れ込み５１ａ、５１ｂが形成されていてもよい。なお、細かい切れ込み５１ａ、５１ｂが形成されているとは、例えば、切れ込み５１ａ同士の間隔及び切れ込み５１ｂ同士の間隔が小さくなっていることなどである。
【００４４】
また、ＣＯＦ５０は、ランド５２および配線５３が形成された面を圧電層４２と対向させて配置するとともに、ランド５２および配線５３を覆うソルダーレジストなどの熱硬化性材料を含む接着剤層５５が形成されている。圧電層４２上の導電性バンプ４６とランド５２とは、後述する接合工程において、ＣＯＦ５０を圧電アクチュエータに対して、押圧、加熱することで、圧電層４２の接続端子４５ａ上の導電性バンプ４６とランド５２とが接触するとともに、接着剤層５５が導電性バンプ４６の周囲を覆って接続端子４５ａ上に広がって硬化することで、導電性バンプ４６を介してランド５２と接続端子４５ａとが電気的かつ機械的に接続されて、圧電アクチュエータ３２とＣＯＦ５０とが接合された圧電アクチュエータユニット３３が形成されて、インクジェットヘッド３が形成される。
【００４５】
接着剤層５５の、ランド５２と導電性バンプ４６とが対向する部分以外の部分では、圧電層４２とＣＯＦ５０の下面との距離が設けられるため、接着剤層５５と圧電層４２との間には空間があり、基材５１と圧電層４２とを接合していない。接着剤層５５は、少なくとも導電性バンプ４６及びランド５２と対向する部分に形成されている必要があり、また、配線５３の保護のために配線５３を覆って基材５１の下面全面に形成されているが、接着剤層５５は、全面に形成されてなくても必要な箇所に部分的に設けてあってもよい。
【００４６】
ここで、圧電アクチュエータ３２の動作について説明する。まず、圧電アクチュエータ３２がインクを吐出させる動作を行う前の待機状態においては、前述したように、下部電極４３及び中間電極４４が、それぞれ、常にグランド電位及び上記所定の電位（例えば、２０Ｖ）に保持されているとともに、上部電極４５の電位が予めグランド電位に保持されている。この状態では、上部電極４５が中間電極４４よりも低電位になっているとともに、下部電極４３と同電位となっている。
【００４７】
これにより、上部電極４５と中間電極４４との間の電位差が生じ、圧電層４２のこれらの電極に挟まれた部分にその分極方向と同じ上向きの電界が発生し、これにより、圧電層４２のこの部分がこの電界と直交する水平方向に収縮する。これによりいわゆるユニモルフ変形が生じ、圧電層４１、４２及び振動板４０の圧力室１０と対向する部分が全体として圧力室１０に向かって凸となるように変形する。この状態では、圧電層４１、４２及び振動板４０が変形していない場合と比較して、圧力室１０の容積が小さくなっている。
【００４８】
そして、インクを吐出させるべく圧電アクチュエータ３２を駆動させる際には、上部電極４５の電位を、一旦、上記所定の電位に切り替えた後、グランド電位に戻す。上部電極４５の電位を上記所定の電位に切り替えると、上部電極４５が中間電極４４と同電位となるとともに、下部電極４３よりも高電位となる。これにより、圧電層４２の上記収縮が元に戻る。そしてこれと同時に、上部電極４５と下部電極４３との間に電位差が生じ、圧電層４１、４２のこれらの電極に挟まれた部分にはその分極方向と同じ下向きの電界が発生し、圧電層４１、４２のこの部分が水平方向に収縮する。これにより、圧電層４１、４２及び振動板４０が全体として、圧力室１０と反対側に凸となるように変形し、圧力室１０の容積が増加する。その結果、圧力室１０内のインクの圧力が低下し、マニホールド流路１１から圧力室１０にインクが流れ込む。
【００４９】
この後、上部電極４５の電位をグランド電位に戻すと、前述したのと同様、圧電層４１、４２及び振動板４０の圧力室１０と対向する部分が全体として圧力室１０に向かって凸となるように変形し、圧力室１０の容積が小さくなる。これにより、圧力室１０内のインクの圧力が上昇し、圧力室１０に連通するノズル１５からインクが吐出される。
【００５０】
また、上述したようにして圧電アクチュエータ３２を駆動させる場合、上部電極４５の電位をグランド電位から所定の電位に切り替えたときには、圧電層４２の上部電極４５と中間電極４４とに挟まれた部分が収縮した状態から収縮前の状態に伸長すると同時に、圧電層４１、４２の上部電極４５と下部電極４３とに挟まれた部分が収縮するため、圧電層４２の上記の伸長が、圧電層４１、４２の上記収縮に一部吸収される。
【００５１】
一方、上部電極４５の電位を所定の電位からグランド電位に戻したときには、圧電層４２の上部電極４５と中間電極４４とに挟まれた部分が収縮するとともに、圧電層４１、４２の上部電極４５と下部電極４３とに挟まれた部分が収縮前の状態まで伸長するため、圧電層４２の上記収縮が圧電層４１、４２の上記伸長によって一部吸収される。
【００５２】
以上のことから、圧電層４１、４２の圧力室１０と対向する部分の変形が、他の圧力室１０と対向する部分に伝達して当該他の圧力室１０に連通するノズル１５からのインクの吐出特性が変動してしまう、いわゆるクロストークが抑制される。
【００５３】
なお、上述した待機状態及び圧電アクチュエータ３２が駆動されている間においては、圧電層４１の中間電極４４と下部電極４３との間の部分には常に電位差が生じており、圧電層４１のこの部分には、その分極方向と同じ方向の電界が発生している。これにより、圧電層４１のこの部分は常に収縮した状態となっている。なお、アクチュエータの構成および駆動方式は、圧力室に充満されたインクをノズルから吐出させるための圧力が付与できれば、本発明に適用することが可能である。
【００５４】
次に、インクジェットヘッド３の製造方法について説明する。図７は、インクジェットヘッド３の製造工程を示す工程図である。なお、図７においては、図面を分かりやすくするために、その上下方向に関する長さに対する左右方向に関する長さを縮めて描いている。
【００５５】
インクジェットヘッド３を製造するには、まず、図７（ａ）に示すように、予め作製された、振動板４０、圧電層４１、４２及び電極４３〜４５と流路ユニット３１（図示省略）との積層体における上部電極４５の接続端子４５ａの上面に、印刷などによって導電性バンプ４６を形成する（バンプ形成工程）。
【００５６】
また、図７（ａ）に示すような導電性バンプ４６を形成する工程とは別の工程で、図７（ｂ）に示すように、予め配線５３およびランド５２が作製されたＣＯＦ５０の基材５１の上面（圧電層と対向しない面）における複数の領域Ａ１に、レーザ加工、サンドブラスタ加工、エッチングなどにより、それぞれ複数の切れ込み５１ａ、５１ｂを形成する（切れ込み形成工程）。このとき、前述したように、複数の領域Ａ１には、基材５１の圧電アクチュエータ３２と対向する略矩形状の領域Ｂの４隅のコーナー部に近い位置にあるＡ１ほど細かい切れ込み５１ａ、５１ｂを形成する。続いて、図７（ｃ）に示すように、基材５１の下面（少なくともランド５２が形成された部分を含む圧電層４２との対向面）に、液状のソルダーレジストなどの絶縁性の熱硬化性樹脂などを塗布し、加熱を加えることで半硬化状態にして、未硬化の接着剤層５５を形成する（接着剤層形成工程）。
【００５７】
そして、次に、図７（ｄ）に示すように、ランド５２と導電性バンプ４６とが互いに対向するように、ＣＯＦ５０を振動板４０、圧電層４１、圧電層４２及び電極４３〜４５とを位置合わせしてから、ヒータＨにより、基材５１を圧電層４２に向かって押圧しながら加熱する。すると、導電性バンプ４６が接着剤層５５を貫通してランド５２に接触するとともに、導電性バンプ４６に押しのけられた接着剤層５５が導電性バンプ４６の周囲の部分に流れ出て接続端子４５ａの上面に達し、接着剤層５５はこの状態で加熱されて硬化する。これにより、導電性バンプ４６とランド５２とが電気的に接続されるとともに、基材５１と圧電層４２とが接着剤層５５を介して接合される（接合工程）。なお、ヒータＨの加熱温度は、熱硬化性の接着剤層を硬化させるための温度である。
【００５８】
このとき、基材５１が、圧電層４１、４２を形成する圧電材料よりも線膨張係数の大きい材料により形成されているため、ヒータＨにより押圧加熱を行うと、基材５１が膨張し、ランド５２と導電性バンプ４６とは接続されているため、基材５１における導電性バンプ４６の間に位置する部分が、圧電層４２側に撓んで圧電層４２の上面に接触してしまう虞がある。さらに、基材５１の下面に形成される未硬化の接着剤層５５が圧電層４２の上面に接触した状態で硬化してしまうと、基材５１の撓んだ部分が圧電層４２の上面に接合されてしまい、ヒータＨによる押圧加熱をやめても膨張した基材５１の変形が元に戻らなくなってしまう虞がある。また、基材５１の変形が元に戻った場合であっても、接着剤層５５が圧電層４２の上面に残留してしまう虞がある。
【００５９】
そして、基材５１が圧電層４２に接触し、さらには圧電層４２に接合されたり、圧電層４２の上面に接着剤層５５が残留したりしてしまうと、圧電層４２に汚れや傷が生じてしまう虞がある。特に、圧電層４２の圧力室１０と対向する部分（活性部）に、基材５１が接触し、さらには接合されたり、接着剤層５５が残留したりしてしまった場合には、前述したように圧電アクチュエータ３２を駆動したときの振動板４０、圧電層４１、４２の変形が阻害されて、ノズル１５からのインクの吐出駆動（圧電アクチュエータ３２の駆動）を阻害されてしまう虞がある。特に、前述したように振動板４０及び圧電層４１、４２がユニモルフ変形する圧電アクチュエータ３２においては、上記ノズル１５からのインクの吐出駆動を大きく阻害される。
【００６０】
しかしながら、本実施の形態では、基材５１の上面における圧力室１０と対向する領域を含む複数の領域Ａ１に、それぞれ複数の切れ込み５１ａ、５１ｂが形成されているため、基材５１の切れ込み形成部分はその上面側の部分が下面側の部分よりも自由に変形することができる。これにより、基材５１は、その圧電層４２と反対側の部分が圧電層４２側の部分よりも大きく膨張することとなり、その結果、基材５１は、圧電層４２側には変形しにくくなる。
【００６１】
また、基材５１は押圧加熱での前後で熱応力が生じて基材５１が膨張・収縮をしても、可撓性があるため可逆性をもってある程度元に戻るものの、中央部分よりも外側方向に向かう熱応力が大きくなりやすく、領域Ｂのうち特に導電性バンプ４６とランド５２とが接続されている領域の周辺部の４隅のコーナー部においては、最も熱応力が集中しやすい。そのため、基材５１の膨張時においてコーナー部に近い部分ほど変形しやすいが、基材５１のコーナー部に近い位置にある領域Ａ１ほど細かい切れ込み５１ａ、５１ｂが形成されているため、基材５１が圧電層４２側に変形して圧電層４２に接触してしまうのを確実に防止することができる。なお、熱応力は、中央部分よりも外側方向に向かう熱応力が大きくなるため、前述したように、基材５１の圧電アクチュエータ３２と対向する略矩形状の領域Ｂのうち、４辺の外周に沿った枠状の領域内に位置する領域Ａ１に他の領域Ａ１よりも細かい切れ込み５１ａ、５１ｂを形成し、さらに、当該枠状の領域のうち、４隅のコーナー部に位置する領域Ａ１に最も細かい切れ込み５１ａ、５１ｂが形成されていてもよい。つまり、圧電アクチュエータ３２と対向する略矩形状の領域Ｂ内に位置する複数の領域Ａ１のうち、熱応力が集中しやすい部分に位置する領域Ａ１に対して細かい切れ込み５１ａ、５１ｂを形成することで、基材５１が変形しやすい部分の変形抑制を達成している。
【００６２】
また、各圧力室群７を構成する、互いに紙送り方向にずれた状態で走査方向に隣接する２つの圧力室１０（活性部）とそれぞれ対向する個別の領域Ａ１に、それぞれ複数の切れ込み５１ａ、５１ｂが形成されているので、複数の領域Ａ１にまたがった領域に連続的に切れ込み５１ａ、５１ｂが形成されている場合と比較して、基材５１の上面側の部分と下面側の部分との膨張量の差によって基材５１に生じる歪みを抑えることができるとともに、基材５１の各圧力室１０と対向する部分が圧電層４２側に変形してしまうのを確実に防止することができる。
【００６３】
以上のことから、基材５１が圧電層４２に接触し、さらには圧電層４２に接合されたり、圧電層４２に接着剤層５５が残留したりすることが防止され、これにより、圧電層４２に汚れや傷が生じたりしない。特に、圧電層４２の圧力室１０と対向する部分（活性部）においては、以上のように基材５１および接着剤層５５が接触したり残留したりすることが防止できるため、振動板４０及び圧電層４１、４２の変形が阻害されてノズル１５からのインクの吐出駆動が阻害されたりしてしまうことを防止することができる。
【００６４】
以上に説明した実施の形態によると、基材５１の上面における圧力室１０と対向する領域を含む複数の領域Ａ１に、それぞれ複数の切れ込み５１ａ、５１ｂが形成されているため、基材５１の圧力室１０と対向する部分はその上面側の部分が下面側の部分よりも自由に変形することができる。これにより、基材５１は、その圧電層４２と反対側の部分が圧電層４２側の部分よりも大きく膨張することとなり、その結果、基材５１は、圧電層４２側には変形しにくくなる。
【００６５】
また、基材５１は、最も熱応力が集中しやすいコーナー部が、加熱による膨張時には他の部分よりも変形しやすいが、基材５１のコーナー部に近い位置にある領域Ａ１ほど細かい切れ込み５１ａ、５１ｂが形成されているため、基材５１が圧電層４２側に変形して圧電層４２に接触してしまうのを確実に防止することができる。
【００６６】
また、各圧力室群７を構成する、互いに紙送り方向にずれた状態で走査方向に隣接する２つの圧力室１０（活性部）とそれぞれ対向する個別の領域Ａ１に、それぞれ複数の切れ込み５１ａ、５１ｂが形成されているので、複数の領域Ａ１にまたがった領域に連続的に切れ込み５１ａ、５１ｂが形成されている場合と比較して、基材５１の上面側の部分と下面側の部分との膨張量の差によって基材５１に生じる歪みを抑えることができるとともに、基材５１の各圧力室１０と対向する部分が圧電層４２側に変形してしまうのを確実に防止することができる。
【００６７】
以上のことから、基材５１が圧電層４２に接触し、さらには圧電層４２に接合されたり、圧電層４２に接着剤層５５が残留したりすることが防止され、これにより、圧電層４２に汚れや傷が生じたり、振動板４０及び圧電層４１、４２の変形が阻害されてノズル１５からのインクの吐出が阻害されたりしてしまうことを防止することができる。
【００６８】
次に、本実施の形態に種々の変更を加えた変形例について説明する。ただし、本実施の形態と同様の構成を有するものについては同じ符号を付し、適宜その説明を省略する。
【００６９】
本実施の形態では、ＣＯＦ５０の基材５１の下面のほぼ全域に接着剤層５５を形成したが、これには限られない。一変形例では、図８（ｃ）に示すように、基材５１の下面のランド５２が形成された部分（少なくともランド５２が形成された部分）にのみ接着剤層７５を形成する（変形例１）。なお、変形例１において、図８（ａ）に示すように導電性バンプ４６を形成する工程、及び、図８（ｂ）に示すように基材５１に切れ込み５１ａ、５１ｂを形成する工程は、実施の形態と同様であるので、ここではその説明を省略する。
【００７０】
この場合にも、上述の実施の形態と同様、ヒータＨによりＣＯＦ５０を圧電層４２に向かって押圧するとともに加熱すると、図８（ｄ）に示すように、導電性バンプ４６が接着剤層７５を貫通してランド５２に接触するとともに、押しのけられた接着剤層７５が導電性バンプ４６の周囲の部分に流れ込んで接続端子４５ａの上面に達し、この状態で接着剤層５５が硬化することにより、導電性バンプ４６とランド５２とが電気的に接続されるとともに、ＣＯＦ５０と圧電層４２とが接合される。
【００７１】
また、この場合にも、基材５１の上面における圧力室１０と対向する部分を含む複数の領域Ａ１に、それぞれ複数の切れ込み５１ａ、５１ｂが形成されているため、上述の実施の形態と同様、ヒータＨによる加熱時に、基材５１が圧電層４２側に撓んで圧電層４２に接触してしまうのを防止することができる。
【００７２】
その結果、基材５１が圧電層４２に接触し、さらには圧電層４２に接合されたり、圧電層４２に接着剤層５５が残留したりすることが防止され、これにより、圧電層４２に汚れや傷が生じたり、振動板４０及び圧電層４１、４２の変形が阻害されてノズル１５からのインクの吐出が阻害されたりしてしまうことを防止することができる。
【００７３】
また、本実施の形態では、接着剤層５５により、導電性バンプ４６とランド５２とが電気的に接続された状態で、ＣＯＦ５０と圧電層４２とを接合したがこれには限られない。別の一変形例では、図９（ａ）に示すように、予め、その下面に、配線５３、配線５３を一部露出してランド５２、及び、ランド５２が形成されている部分に貫通孔６０ａが形成されたソルダーレジスト層６０が形成された基材５１に対し、配線５３が設けられている面とは反対側の上面に複数の切れ込み５１ａ、５１ｂを形成した後、図９（ｂ）に示すように、基材５１の下面に形成されたランド５２の表面にハンダ８１（バンプ）を形成し（バンプ形成工程）、ヒータＨによりハンダ８１が形成されたＣＯＦ５０を圧電層４２に向かって押圧するとともに加熱する。すると、図９（ｃ）に示すように、ハンダ８１が融解して接続端子４５ａの上面に流れ、ヒータＨによる加熱をやめると、ハンダ８１がこの状態で硬化し、これにより、接続端子４５ａとランド５２とがハンダ８１を介して電気的に接続されるとともに、ハンダ８１により、圧電層４２とＣＯＦ５０とが接合される（接合工程）（変形例２）。
【００７４】
この場合にも、基材５１の上面の圧力室１０と対向する部分を含む複数の領域Ａ１にそれぞれ複数の切れ込み５１ａ、５１ｂが形成されているため、上述の実施の形態と同様、ヒータＨによる加熱時に、基材５１が圧電層４２側に撓んで圧電層４２に接触してしまうのを防止することができる。
【００７５】
その結果、基材５１が圧電層４２に接触し、さらには圧電層４２に接合されたり、圧電層４２に接着剤層５５が残留したりすることが防止され、これにより、圧電層４２に汚れや傷が生じたり、振動板４０及び圧電層４１、４２の変形が阻害されてノズル１５からのインクの吐出駆動が阻害されたりしてしまうことを防止することができる。
【００７６】
また、本実施の形態では、基材５１の上面における、各圧力室群７を構成する、互いに紙送り方向にずれた状態で走査方向に隣接する２つの圧力室１０（活性部）とそれぞれ対向する個別の領域Ａ１に、それぞれ複数の切れ込み５１ａ、５１ｂが形成されていたが、これには限られない。例えば、図１０に示すように、基材５１の上面における、各圧力室群７を構成する複数の圧力室１０にまたがって連続して延びた５つの領域Ａ２にそれぞれ複数の切れ込み５１ａ、５１ｂが形成されていてもよい（変形例３）。あるいは、図１１に示すように、基材５１の上面における全ての圧力室１０と対向する略矩形状の部分にまたがる連続した１つの領域Ａ３に複数の切れ込み５１ａ、５１ｂが形成されていてもよい（変形例４）。
【００７７】
これらの場合でも、基材５１の領域Ａ２、Ａ３に複数の切れ込み５１ａ、５１ｂが形成されているため、上述の実施の形態と同様、ヒータＨによる加熱時に、基材５１が圧電層４２側に撓んで圧電層４２に接触してしまうのが防止され、これにより、圧電層４２に汚れや傷が生じたり、圧電層４２の変形が阻害されたりしてしまうのを防止することができる。
【００７８】
なお、変形例３において、基材５１の４隅のコーナー部に近い部分ほど細かい切れ込み５１ａ、５１ｂを形成するためには、例えば、図１０における左右両端部に近い位置にある領域Ａ２ほど細かい切れ込み５１ａを形成するとともに、各領域Ａ２において、図１０における上下端部に近い部分ほど細かい切れ込み５１ｂを形成するなどすればよい。また、変形例４において、基材５１のコーナー部に近い部分ほど細かい切れ込み５１ａ、５１ｂを形成するためには、例えば、領域Ａ３の図１１における左右両端に近い部分ほど細かい切れ込み５１ａを形成するとともに、領域Ａ３の図１１に上下端部に近い部分ほど細かく切れ込み５１ｂを形成するなどすればよい。
【００７９】
また、本実施の形態では、切れ込み５１ａ、５１の断面がＶ字状となっていたが、切れ込みの形状はこれには限られない。また、本実施の形態では、基材５１のコーナー部に近い領域Ａ１ほど細かい切れ込み５１ａ、５１ｂが形成されていたが、全ての領域Ａ１に均等に切れ込み５１ａ、５１ｂが形成されていてもよい。
【００８０】
また、本実施の形態では、複数の領域Ａ１に、それぞれ、互いに直交する複数の切れ込み５１ａと複数の切れ込み５１ｂとが形成されていたが、複数の領域Ａ１に、それぞれ、複数の切れ込み５１ａのみが形成されていてもよい。また、切れ込み５１ａ、５１ｂは、紙送り方向および走査方向にそれぞれ平行に延在して形成されていたが、必ずしも平行である必要はなく、傾斜して設けられていてもよい。
【００８１】
また、本実施の形態では、全ての領域Ａ１に切れ込み５１ａ、５１ｂが形成されていたが、複数の領域Ａ１のうち、領域Ｂの４辺の外周に沿った部分に位置する領域Ａ１にのみ切れ込み５１ａ、５１ｂが形成されていてもよい。さらには、領域Ｂのコーナー部に位置する領域Ａ１にのみ切れ込み５１ａ、５１ｂが形成されていてもよい。
【００８２】
また、本実施の形態では、圧電アクチュエータ３２がいわゆるユニモルフ変形により圧力室１０内のインクに圧力を付与するものであったが、これには限られず、例えば、厚み方向に分極された複数の圧電層が積層されており、これらの圧電層にその厚み方向の電界を発生させることにより圧電層をその厚み方向に伸長させて、圧力室１０内のインクに圧力を付与する圧電アクチュエータなど、ユニモルフ変形以外の変形により圧力室１０内のインクに圧力を付与する圧電アクチュエータに本発明を適用することも可能である。
【００８３】
また、以上では、ノズルからインクを吐出するインクジェットヘッド、及びインクジェットヘッドに用いられる圧電アクチュエータに本発明を適用した例について説明したが、これには限られず、インク以外の液体を吐出又は移送する液体移送装置、及び液体移送装置に用いられる圧電アクチュエータに本発明を適用することも可能であり、液体移送装置以外のものに用いられる圧電アクチュエータに本発明を適用することも可能である。
【図面の簡単な説明】
【００８４】
【図１】本発明における実施の形態に係るプリンタの概略構成図である。
【図２】図１のインクジェットヘッドが斜視図である。
【図３】図２の平面図である。
【図４】（ａ）が図３のＣＯＦを除いた部分拡大図であり、（ｂ）〜（ｄ）が、（ａ）の振動板及び各圧電層の上面をそれぞれ示す図である。
【図５】図４のＶ−Ｖ線断面図である。
【図６】図４のＶＩ−ＶＩ線断面図である。
【図７】インクジェットヘッドの製造工程を示す工程図である。
【図８】変形例１の図７相当の図である。
【図９】変形例２の図７相当の図である。
【図１０】変形例３の図３相当の図である。
【図１１】変形例４の図３相当の図である。
【符号の説明】
【００８５】
３  インクジェットヘッド
３１  流路ユニット
３２  圧電アクチュエータ
４０  振動板
４１、４２  圧電層
４５  上部電極
４５ａ  接続端子
４６  導電性バンプ
５０  ＣＯＦ
５１ａ、５１ｂ  切れ込み
５２  ランド
５５  接着剤
８１  ハンダ
【図１】
2010082942.tif 000003
【図２】
2010082942.tif 000004
【図３】
2010082942.tif 000005
【図４】
2010082942.tif 000006
【図５】
2010082942.tif 000007
【図６】
2010082942.tif 000008
【図７】
2010082942.tif 000009
【図８】
2010082942.tif 000010
【図９】
2010082942.tif 000011
【図１０】
2010082942.tif 000012
【図１１】
2010082942.tif 000013